(57)【要約】【課題】Ａ／Ｄ変換器において、周波数偏差によるオフセット変動に起因する誤引き込みを防ぎ、外乱による変動に対してもオフセットを自動的に復旧する。【構成】Ａ／Ｄ変換器の出力信号を入力し、前記Ａ／Ｄ変換器におけるリファレンス電圧のオフセットを校正する回路であって、前記Ａ／Ｄ変換器の出力信号の変曲点から極大値及び極小値を求める極大値、極小値検出部と、前記求められた極大値及び極小値の差分の１／２を求めるオフセット弁別部と、前記オフセット弁別部の出力を入力して平均化するループフィルタと、前記ループフィルタの出力を前記Ａ／Ｄ変換器の出力信号から減算する加算回路とを有し、さらに、前記オフセット弁別部は、Ａ／Ｄ変換器の出力信号の極大値及び極小値の検出時点を交互に切り替える回路を備える。【選択図】図４
2005229328.tif 000002
【特許請求の範囲】
【請求項１】
Ａ／Ｄ変換器の出力信号を入力し、前記Ａ／Ｄ変換器におけるリファレンス電圧のオフセットを校正する方法であって、
前記Ａ／Ｄ変換器の出力信号の変曲点から極大値及び極小値を求め、
前記求められた極大値及び極小値の差分の１／２を求め、
前記求められた差分の１／２を、ループフィルタにより平均化して前記Ａ／Ｄ変換器の出力信号から減算し、
さらに、前記Ａ／Ｄ変換器の出力信号の極大値及び極小値の検出時点を交互に切り替える
ことを特徴とするＡＤ変換器のＤＣオフセット校正方法。
【請求項２】
Ａ／Ｄ変換器の出力信号を入力し、前記Ａ／Ｄ変換器におけるリファレンス電圧のオフセットを校正する方法であって、
前記Ａ／Ｄ変換器の出力信号の変曲点から極大値及び極小値を求め、
前記求められた極大値及び極小値の差分の１／２を求め、
前記求められた差分の１／２を、ループフィルタにより平均化して前記Ａ／Ｄ変換器の出力信号から減算し、
さらに、前記Ａ／Ｄ変換器の出力信号の極大値及び極小値の何れか一方検出の検出毎に前記差分を求める
ことを特徴とするＡＤ変換器のＤＣオフセット校正方法。
【請求項３】
Ａ／Ｄ変換器の出力信号を入力し、前記Ａ／Ｄ変換器におけるリファレンス電圧のオフセットを校正する方法であって、
前記Ａ／Ｄ変換器の出力信号の変曲点から極大値及び極小値を求め、
前記求められた極大値及び極小値の差分の１／２を求め、
前記求められた差分の１／２を積分により平均化し、更に、
前記平均化した差分の１／２をループフィルタにより平均化して前記Ａ／Ｄ変換器の出力信号から減算する
ことを特徴とするＡＤ変換器のＤＣオフセット校正方法。
【請求項４】
Ａ／Ｄ変換器の出力信号を入力し、前記Ａ／Ｄ変換器におけるリファレンス電圧のオフセットを校正する方法であって、
前記Ａ／Ｄ変換器の出力信号の変曲点から極大値及び極小値を求め、
前記求められた極大値及び極小値の差分の１／２を求め、
前記求められた差分の１／２を、ループフィルタにより平均化して前記Ａ／Ｄ変換器の出力信号から減算し、
さらに、前記求められた差分の１／２の大きさに制限を設けて、これを越える値を前記ループフィルタへ入力しない
ことを特徴とするＡＤ変換器のＤＣオフセット校正方法。
【請求項５】
Ａ／Ｄ変換器の出力信号を入力し、前記Ａ／Ｄ変換器におけるリファレンス電圧のオフセットを校正する方法であって、
前記Ａ／Ｄ変換器の出力信号の変曲点から極大値及び極小値を求め、
前記求められた極大値及び極小値の差分の１／２を求め、
前記求められた差分の１／２を、ループフィルタにより平均化して前記Ａ／Ｄ変換器の出力信号から減算し、
さらに、前記ループフィルタの出力の大きさに制限を設けて、これを越える値を前記Ａ／Ｄ変換器の出力信号から減算しない
ことを特徴とするＡＤ変換器のＤＣオフセット校正方法。
【発明の詳細な説明】
【技術分野】
【０００１】
本発明は、Ａ／Ｄ変換器のＤＣオフセット校正方法及び装置に関する。特に、単一電源で動作するＡ／Ｄ変換器において、中心レベルとなるように外部から与えるリファレンス電圧に誤差が存在する場合にこの成分を除去してオフセットを校正する方法及び回路に関する。
【背景技術】
【０００２】
近年、携帯型の電子機器において小型化及び、高機能化が著しく進んでいる。小型化の一助として低消費電力化により小型バッテリの採用が進んでいる。特に、移動通信システムの移動端末に対しての低消費電力化に対する要求は著しい。
【０００３】
図1は、移動端末としての一般的な無線機の構成例を示す図である。アンテナ１にデュープレクサ２を通して送信系３と、受信系４が接続される。
【０００４】
上記の低消費電力の要求に対して、図１において受信系４のＡ／Ｄ変換器４０,４１は、単一電源で動作するＡ／Ｄ変換器の構成を採用することが多い。しかし、移動端末の特性として受信信号は符号と大きさを持つ値を扱っており、受信データの再生において、Ａ／Ｄ変換器４０，４１におけるオフセット成分（中心レベルとなるように外部から与えるリファレンス電圧の変動による誤差）が、性能低下の要因となるため、これを回避することが必要がある。
【０００５】
ここで、Ａ／Ｄ変換器の入力信号として位相変調されている信号を想定すると、ナイキスト点での振幅は一定である。これを利用し、値がピークを取るところがナイキスト点近傍であって、この正負ピーク値の差分の半分が、Ａ／Ｄのリファレンス値に対するオフセットと考えられる。
【０００６】
かかる原理を用い、正負対称な周期波形を持つアナログ入力をデジタル信号に変換するＡ／Ｄ変換器のオフセットを含む出力から、一周期あたりの最大値と最小値の和を１／２倍することによりオフセット量を求め、これをＡ／Ｄ変換器の出力に加算する構成が知られている（特許文献１）。
【０００７】
しかし、かかる特許文献１に記載された発明を用いる場合、送受信機間で微小な周波数偏差がある場合に問題がある。シンボル速度に対して大きな周波数偏差の場合には、フィルタによる平滑化でその影響を除去できる。しかし、微少な周波数偏差の場合は、位相回転方向に徐々にシンボル点の大きさが変動していくために、オフセット成分を弁別するピーク値の差分は、一定方向に変動してしまう。これにより、かかるピーク値の差分の変動をオフセット成分とみなしてしまうという問題がある。
【特許文献１】特開平2-126723号公報
【発明の開示】
【発明が解決しようとする課題】
【０００８】
したがって、本発明の目的は、上記微少な周波数偏差の場合にオフセット成分を弁別するピーク値の差分が一定方向に変動し、かかるピーク値の差分の変動をオフセット成分とみなしてしまうという問題を解決するＡ／Ｄ変換器のＤＣオフセット校正方法及び回路を提供することにある。
【課題を解決するための手段】
【０００９】
上記の課題を解決する本発明に従うＡ／Ｄ変換器のＤＣオフセット校正方法及び回路は、第１の態様として、Ａ／Ｄ変換器の出力信号を入力し、前記Ａ／Ｄ変換器におけるリファレンス電圧のオフセットを校正する方法及び回路であって、前記Ａ／Ｄ変換器の出力信号の変曲点から極大値及び極小値を求め、前記求められた極大値及び極小値の差分の１／２を求め、前記求められた差分の１／２を、ループフィルタにより平均化して前記Ａ／Ｄ変換器の出力信号から減算し、さらに、前記Ａ／Ｄ変換器の出力信号の極大値及び極小値の検出時点を交互に切り替えることを特徴とする。
【００１０】
上記の課題を解決する本発明に従うＡ／Ｄ変換器のＤＣオフセット校正方法及び回路は、第２の態様として、前記Ａ／Ｄ変換器の出力信号の変曲点から極大値及び極小値を求め、前記求められた極大値及び極小値の差分の１／２を求め、前記求められた差分の１／２を、ループフィルタにより平均化して前記Ａ／Ｄ変換器の出力信号から減算し、さらに、前記Ａ／Ｄ変換器の出力信号の極大値及び極小値の何れか一方検出の検出毎に前記差分を求めることを特徴とする。
【００１１】
上記の課題を解決する本発明に従うＡ／Ｄ変換器のＤＣオフセット校正方法及び回路は、第３の態様として、前記Ａ／Ｄ変換器の出力信号の変曲点から極大値及び極小値を求め、前記求められた極大値及び極小値の差分の１／２を求め、前記求められた差分の１／２を積分により平均化し、更に、前記平均化した差分の１／２をループフィルタにより平均化して前記Ａ／Ｄ変換器の出力信号から減算することを特徴とする。
【００１２】
上記の課題を解決する本発明に従うＡ／Ｄ変換器のＤＣオフセット校正方法及び回路は、第４の態様として、前記第１ないし３の態様の何れかにおいて、前記変曲点を中央値以外の設定値とすることを特徴とする。
【００１３】
上記の課題を解決する本発明に従うＡ／Ｄ変換器のＤＣオフセット校正方法及び回路は、第５の態様として、前記Ａ／Ｄ変換器の出力信号の変曲点から極大値及び極小値を求め、前記求められた極大値及び極小値の差分の１／２を求め、前記求められた差分の１／２を、ループフィルタにより平均化して前記Ａ／Ｄ変換器の出力信号から減算し、さらに、前記求められた差分の１／２の大きさに制限を設けて、これを越える値を前記ループフィルタへ入力しないことを特徴とする。
【００１４】
上記の課題を解決する本発明に従うＡ／Ｄ変換器のＤＣオフセット校正方法及び回路は、第６の態様として、前記Ａ／Ｄ変換器の出力信号の変曲点から極大値及び極小値を求め、前記求められた極大値及び極小値の差分の１／２を求め、前記求められた差分の１／２を、ループフィルタにより平均化して前記Ａ／Ｄ変換器の出力信号から減算し、さらに、前記ループフィルタの出力の大きさに制限を設けて、これを越える値を前記Ａ／Ｄ変換器の出力信号から減算しないことを特徴とする。
【発明の効果】
【００１５】
Ａ／Ｄ変換器において、周波数偏差によるオフセット変動に起因する誤引き込みを防ぎ、外乱による変動に対してもオフセットを自動的に復旧することができる。
【発明を実施するための最良の形態】
【００１６】
以下に、図面に従い本発明の実施の形態例を説明する。なお、図に示す実施の形態例は本発明の理解のためのものであり、本発明の技術的範囲がこれらに限定されるものではない。
【００１７】
ここで、本発明の理解を容易とするために、上記特許文献1のオフセット除去の原理を用いるＡ／Ｄ変換器の構成及び、動作の概略を図により説明しておく。
【００１８】
図２は、図1に示す無線機の受信系４における直交変調回路４２からの直交変調信号のＩ成分及びＱ成分に対して、各々Ａ／Ｄ変換を行うＡ／Ｄ変換器４０、４１の出力側に接続されるオフセット校正回路４３，４４の構成ブロック図である。
【００１９】
なお、オフセット校正回路４３，４４の入力はＡ／Ｄ変換の直後で、２の補数などの符号と大きさを持つデジタル値であり、また同相成分(Ｉ)と直交成分(Ｑ)では同等の処理を行うため、図２にはＩ側の詳細構成ブロックのみを示している。
【００２０】
動作を簡単に説明すると、まず初期状態ではループフィルタ４４０からのオフセット補正出力は零(中心値)で、加算器４００において、入力とオフセット補正出力が加算され、極大値検出部４１０及び、極小値検出部４２０に入力される。
【００２１】
極大値、極小値の検出は変曲点を求めれば良いので、１シンボル遅延分の遅延回路４１１を経由したシンボル値と、直接入力するシンボル値とを比較器４１２において比較する。
【００２２】
次いで、極大値検出部４１０ではこの比較結果が大から小に変わるタイミングを微分回路４１３で検出し、極小値検出部４２０では反対に比較結果が小から大に変わるタイミングを微分回路４１３で検出する。それらの検出される時の値が極大値、極小値である。
【００２３】
入力信号は２の補数などであるので、符号が正であるとき極大値と、負であるとき極小値が得られ、オフセット弁別部４３０の極大値保持回路４３１、極小値保持回路４３２にそれぞれで極大値、極小値が保持される。加算回路４３３で保持された極大値と極小値の差分が求められる。この差分の１／２がオフセットに相当するので、加算回路４３３の出力を１／２回路４３４を通して差分の１／２をループフィルタ４４０に入力して積分する。これによりノイズ成分が除去されたオフセット量が得られる。
【００２４】
得られたオフセット量は加算器４００に帰還されて入力からこのオフセット量が差し引かれる。以上の動作を繰り返すことでオフセット校正を行うことが可能である。
【００２５】
なお、図２において、フリップフロップ４３５は、極大値，極小値保持回路４３１，４３２に対する取り込み信号を生成するアンドゲート４３６、４３７に対するゲート信号を生成する。さらに、微分回路４３８の出力がループフィルタ４４０に対するイネーブル信号となる。
【００２６】
上記図2の動作において、極値はほぼナイキスト点にあり、フリップフロップ４３５及び微分回路４３８により、極大と極小の両方が現れるまで補正値を更新しないので、被変調成分に依らずにオフセット校正が可能となる。
【００２７】
しかし、先に説明したように、送受信機間で微小な周波数偏差がある場合は、オフセット成分を弁別するピーク値の差分は、一定方向に変動してしまう。図３はこの様子を示す図である。図３において、横軸に時間、縦軸に電圧をとると、入力信号Ｉ成分（１）、入力信号Ｑ成分（２）に示すように本来一定振幅の位相変調波に対し、送受信機間で微小な周波数偏差があると、振幅Aのように変動し、そのままオフセット値を検出すると、対応して示すＩ成分に対するオフセット検出値（３）、Ｑ成分に対するオフセット検出値（４）に示すように、オフセット値は微小な周波数偏差に対応して変動してしまうことが理解できる。
【００２８】
これにより、かかるピーク値の差分の変動をオフセット成分とみなしてしまうという問題がある。
【００２９】
したがって、本発明はかかる問題を解消するものであり、第1の実施例として、図４にその実施例構成が示される。本発明に従い図２の構成において、更にトグル(T)タイプのフリップフロップ４５０と、掛け算回路４６０を設けている。ループフィルタ４４０へのイネーブル(EN)信号でトグル(T)タイプのフリップフロップ４５０の出力を反転させている。これによって、フリップフロップ４３５の出力によるアンドゲート４３６、４３７に対するゲート信号の論理が交互に切り替えられる。
【００３０】
図4の動作を更に図5を参照して説明する。図５は、図３（１）の入力信号Iを再掲したものである。図５に示すように、シンボル点が・・・ａ，ｂ，ｃ・・・の順に発生しているが、図2の従来構成では、シンボル点で交互に極大値、極小値を検出している。
【００３１】
しかし、図５に示すように、シンボル点ａからｆに向かう方向では、シンボル点が前の方が極値のレベルが小さく、シンボル点ｇからｋに向かう方向では、後者の方が極値のレベルが小さくなるという特徴を有している。
【００３２】
したがって、本発明の図４に示す実施例構成では、ａ−ｂ，ｂ−ｃ，ｃ−ｄの順に、トグル(T)タイプのフリップフロップ４５０を設けて、極値検出の順序を交互に入れ替えて検出するようにしている。これにより、入力信号に小さい周波数偏差が伴う場合に、時間的に極値検出が前と後であることに起因する図３（３），（４）に示したレベル変動に対処することができる。すなわち、極値検出の順序を交互に入れ替えることにより、図３（３），（４）に示したレベル変動を打ち消すことができる。
【００３３】
また、第1の実施例を変形して、一方の極値を検出する毎に、先に検出した極値との差分を求め、ループフィルタ４４０に出力する様に構成することによっても同様の効果を得ることができる。
【００３４】
ここで、以上の実施例においては、入力信号の２値に対してその差分の中央値からのずれをオフセット量として検出していた。これに対し、入力信号が図６に示すように多値変調信号である場合、あるシンボル点（例えば、a点とb点、またはc点とd点）における最大値と最小値の差が必ずしもオフセット量を示しているとは限らない。
【００３５】
非常に長時間に亘って探索することによりオフセット量を示す値となるが時間に依存して変動するような環境においては、正しいオフセット量を示していることにはならない。      
【００３６】
従って、かかる問題を解決する本発明に従う一実施例構成が図７に示される。
【００３７】
すなわち、図７は、第２の実施例構成を示す図である。特徴として、図2の構成に対し、ループフィルタ４４０の入力側に積分器４７０を備えている。本実施例構成では、ループフィルタ４４０へ入力する前に、１／２回路４３４の出力を積分器４７０により積分して弁別出力の平均値を求めている。
【００３８】
これは変調方式がＱＰＳＫや、より信号点の多い多値変調の場合に、信号点によるオフセット値の差による影響を除外するために有効である。ループフィルタ４４０においても平均化する効果はあるが、オフセット制御する出力に変動が現れると、弁別特性に揺らぎを生じることとなるので、事前に平均化することで弁別特性の揺らぎを抑圧する効果が期待できる。
【００３９】
図８は、更に別の実施例構成例であり、極大値、極小値検出部４１０，４２０を一般化して、正負の極値に対し、加算回路４８０を設け、オフセット弁別部４３０において保持される極大値と所定閾値との加算出力と受信レベルを比較器４９０で比較し、受信レベルが加算回路４８０出力より大きい場合に、オフセット弁別部４３０で保持する様にした構成である。かかる構成により、Ａ／Ｄ変換器の使用するレンジをずらしたり、前段に処理ブロックを挿入したりする場合などにも適用可能である。
【００４０】
さらに、図９は、図２の構成に対し、ループフィルタ４４０の入力に大きさの制限を与えるリミット部５００を設けた実施例構成である。かかる構成は、変調方式がＱＰＳＫや、信号点の多い多値変調の場合に有効である。すなわち、ＱＰＳＫや、信号点の多い多値変調の場合に、信号点に依存して生じるオフセット値の差による影響を除外するために有効である。
【００４１】
相対する信号点（例えば、図６において、ａ点とｄ点、あるいはｇ点とｈ点）以外の点における極値の比較で得られる差分は、オフセットに依拠しない。このために、相対する信号点以外のところでは、極値の差は大きくなる。したがって、かかる相対する信号点以外での検出を避けるためにリミット部５００が機能する。
【００４２】
リミット部５００において、弁別出力が想定できる最大値（閾値）超えるときを検知し、この場合には、弁別出力を最大値にクリップしてループフィルタ４４０に入力する。
【００４３】
図１０は、図９の構成の変形例である。リミット部５００をループフィルタ４４０の入力側に置かずに、出力側に置く構成である。かかる構成では、リミット部５００で閾値を越える制御量を検知し、許容の最大制御量にクリップして、入力側の加算器に入力する構成である。これにより、実際のオフセット以上の制御を行ってしまった場合に、校正後の出力がレンジ幅一杯まで飽和してしまい、その後の極値検出が一方の符号のみしか現れなくなったり、タイミングがずれたりして制御不能に陥ることを回避することができる。
【００４４】
（付記１）
Ａ／Ｄ変換器の出力信号を入力し、前記Ａ／Ｄ変換器におけるリファレンス電圧のオフセットを校正する方法であって、
前記Ａ／Ｄ変換器の出力信号の変曲点から極大値及び極小値を求め、
前記求められた極大値及び極小値の差分の１／２を求め、
前記求められた差分の１／２を、ループフィルタにより平均化して前記Ａ／Ｄ変換器の出力信号から減算し、
さらに、前記Ａ／Ｄ変換器の出力信号の極大値及び極小値の検出時点を交互に切り替える
ことを特徴とするＡＤ変換器のＤＣオフセット校正方法。
【００４５】
（付記２）
Ａ／Ｄ変換器の出力信号を入力し、前記Ａ／Ｄ変換器におけるリファレンス電圧のオフセットを校正する方法であって、
前記Ａ／Ｄ変換器の出力信号の変曲点から極大値及び極小値を求め、
前記求められた極大値及び極小値の差分の１／２を求め、
前記求められた差分の１／２を、ループフィルタにより平均化して前記Ａ／Ｄ変換器の出力信号から減算し、
さらに、前記Ａ／Ｄ変換器の出力信号の極大値及び極小値の何れか一方検出の検出毎に前記差分を求める
ことを特徴とするＡＤ変換器のＤＣオフセット校正方法。
【００４６】
（付記３）
Ａ／Ｄ変換器の出力信号を入力し、前記Ａ／Ｄ変換器におけるリファレンス電圧のオフセットを校正する方法であって、
前記Ａ／Ｄ変換器の出力信号の変曲点から極大値及び極小値を求め、
前記求められた極大値及び極小値の差分の１／２を求め、
前記求められた差分の１／２を積分により平均化し、更に、
前記平均化した差分の１／２をループフィルタにより平均化して前記Ａ／Ｄ変換器の出力信号から減算する
ことを特徴とするＡＤ変換器のＤＣオフセット校正方法。
【００４７】
（付記４）付記１ないし３の何れかにおいて、
前記変曲点を中央値以外の設定値とすることを特徴とするＡＤ変換器のＤＣオフセット校正方法。
【００４８】
（付記５）
Ａ／Ｄ変換器の出力信号を入力し、前記Ａ／Ｄ変換器におけるリファレンス電圧のオフセットを校正する方法であって、
前記Ａ／Ｄ変換器の出力信号の変曲点から極大値及び極小値を求め、
前記求められた極大値及び極小値の差分の１／２を求め、
前記求められた差分の１／２を、ループフィルタにより平均化して前記Ａ／Ｄ変換器の出力信号から減算し、
さらに、前記求められた差分の１／２の大きさに制限を設けて、これを越える値を前記ループフィルタへ入力しない
ことを特徴とするＡＤ変換器のＤＣオフセット校正方法。
【００４９】
（付記６）
Ａ／Ｄ変換器の出力信号を入力し、前記Ａ／Ｄ変換器におけるリファレンス電圧のオフセットを校正する方法であって、
前記Ａ／Ｄ変換器の出力信号の変曲点から極大値及び極小値を求め、
前記求められた極大値及び極小値の差分の１／２を求め、
前記求められた差分の１／２を、ループフィルタにより平均化して前記Ａ／Ｄ変換器の出力信号から減算し、
さらに、前記ループフィルタの出力の大きさに制限を設けて、これを越える値を前記Ａ／Ｄ変換器の出力信号から減算しない
ことを特徴とするＡＤ変換器のＤＣオフセット校正方法。
【００５０】
（付記７）
Ａ／Ｄ変換器の出力信号を入力し、前記Ａ／Ｄ変換器におけるリファレンス電圧のオフセットを校正する回路であって、
前記Ａ／Ｄ変換器の出力信号の変曲点から極大値及び極小値を求める極大値、極小値検出部と、
前記求められた極大値及び極小値の差分の１／２を求めるオフセット弁別部と、
前記オフセット弁別部の出力を入力して平均化するループフィルタと、
前記ループフィルタの出力を前記Ａ／Ｄ変換器の出力信号から減算する加算回路とを有し、
さらに、前記オフセット弁別部は、Ａ／Ｄ変換器の出力信号の極大値及び極小値の検出時点を交互に切り替える回路を備える
ことを特徴とするＡＤ変換器のＤＣオフセット校正回路。
【００５１】
（付記８）
Ａ／Ｄ変換器の出力信号を入力し、前記Ａ／Ｄ変換器におけるリファレンス電圧のオフセットを校正する回路であって、
前記Ａ／Ｄ変換器の出力信号の変曲点から極大値及び極小値を求める極大値、極小値検出部と、
前記求められた極大値及び極小値の差分の１／２を求めるオフセット弁別部と、
前記オフセット弁別部の出力を入力して平均化するループフィルタと、
前記ループフィルタの出力を前記Ａ／Ｄ変換器の出力信号から減算する加算回路とを有し、
さらに、前記オフセット弁別部は、Ａ／Ｄ変換器の出力信号の極大値及び極小値の何れか一方検出の検出毎に前記差分を求める回路を備える
ことを特徴とするＡＤ変換器のＤＣオフセット校正回路。
【００５２】
（付記９）
Ａ／Ｄ変換器の出力信号を入力し、前記Ａ／Ｄ変換器におけるリファレンス電圧のオフセットを校正する回路であって、
前記Ａ／Ｄ変換器の出力信号の変曲点から極大値及び極小値を求める極大値、極小値検出部と、
前記求められた極大値及び極小値の差分の１／２を求めるオフセット弁別部と、
前記オフセット弁別部の出力を入力して平均化するループフィルタと、
前記ループフィルタの出力を前記Ａ／Ｄ変換器の出力信号から減算する加算回路とを有し、
さらに、前記ループフィルタの入力側に、前記オフセット弁別部の出力を積分により平均化する積分回路を
備える
ことを特徴とするＡＤ変換器のＤＣオフセット校正回路。
【００５３】
（付記１０）付記７ないし９の何れかにおいて、
前記変曲点を中央値以外の設定値とすることを特徴とするＡＤ変換器のＤＣオフセット校正回路。
【００５４】
（付記１１）
Ａ／Ｄ変換器の出力信号を入力し、前記Ａ／Ｄ変換器におけるリファレンス電圧のオフセットを校正する回路であって、
前記Ａ／Ｄ変換器の出力信号の変曲点から極大値及び極小値を求める極大値、極小値検出部と、
前記求められた極大値及び極小値の差分の１／２を求めるオフセット弁別部と、
前記オフセット弁別部の出力を入力して平均化するループフィルタと、
前記ループフィルタの出力を前記Ａ／Ｄ変換器の出力信号から減算する加算回路とを有し、
さらに、前記ループフィルタの入力側に、前記オフセット弁別部の出力レベルの大きさを制限するリミッタ回路を設け、前記制限を越える値を前記ループフィルタへ入力しない
ように構成されたことを特徴とするＡＤ変換器のＤＣオフセット校正回路。
【００５５】
（付記１２）
Ａ／Ｄ変換器の出力信号を入力し、前記Ａ／Ｄ変換器におけるリファレンス電圧のオフセットを校正する回路であって、
前記Ａ／Ｄ変換器の出力信号の変曲点から極大値及び極小値を求める極大値、極小値検出部と、
前記求められた極大値及び極小値の差分の１／２を求めるオフセット弁別部と、
前記オフセット弁別部の出力を入力して平均化するループフィルタと、
前記ループフィルタの出力を前記Ａ／Ｄ変換器の出力信号から減算する加算回路とを有し、
さらに、前記ループフィルタの出力の大きさを制限するリミッタ回路を設け、前記制限を越える値を前記Ａ／Ｄ変換器の出力信号から減算しない
ように構成されたことを特徴とするＡＤ変換器のＤＣオフセット校正回路。
【産業上の利用可能性】
【００５６】
以上図面に従い説明したように、本発明により、周波数偏差によるオフセット変動に起因する誤引き込みを防ぎ、外乱による変動に対してもオフセットを自動的に復旧することが可能となるＡ／Ｄ変換器が提供可能である。よって、かかるＡ／Ｄ変換器を用いる機器の性能を向上させることができ産業上寄与するところ大である。
【図面の簡単な説明】
【００５７】
【図１】移動端末としての一般的な無線機の構成例を示す図である。
【図２】図1に示すオフセット校正回路４３，４４の構成ブロック図である。
【図３】送受信機間で微小な周波数偏差がある場合のオフセット成分を弁別するピーク値の差分変動を示す図である。
【図４】本発明の第1の実施例構成を示す図である。
【図５】図4の実施例構成を動作を説明する図である。
【図６】入力信号が多値変調信号である場合を説明する図である。
【図７】第２の実施例構成を示す図である。
【図８】更に別の実施例構成例示す図である。
【図９】図２の構成に対し、ループフィルタ４４０の入力に大きさの制限を与えるリミット部５００を設けた実施例構成である。
【図１０】図９の構成の変形例である。
【符号の説明】
【００５８】
１  アンテナ
２  デュープレクサ
３  送信系
４  受信系
４０，４１  Ａ／Ｄ変換器
４２  直交検波回路
４３、４４  オフセット校正回路
４００  加算器
４１０  極大値検出部
４２０  極小値検出部
４３０  オフセット弁別部
４４０  ループフィルタ
【図１】
2005229328.tif 000003
【図２】
2005229328.tif 000004
【図３】
2005229328.tif 000005
【図４】
2005229328.tif 000006
【図５】
2005229328.tif 000007
【図６】
2005229328.tif 000008
【図７】
2005229328.tif 000009
【図８】
2005229328.tif 000010
【図９】
2005229328.tif 000011
【図１０】
2005229328.tif 000012